【手続補正書】
【提出日】平成18年12月19日(2006.12.19)
【手続補正１】
【補正対象書類名】特許請求の範囲
【補正対象項目名】全文
【補正方法】変更
【補正の内容】
【特許請求の範囲】
【請求項１】
第１の強磁性層と、第２の強磁性層と、前記第１の強磁性層及び第２の強磁性層の間に配置される反平行結合層と、を含む第１のピン層と、
前記第２の強磁性層に隣接し、前記反平行結合層と反対側にある第１のフリー層と、を有する第１のスピン・バルブ・センサ（ＳＶセンサ）と、
第３の強磁性層と、第４の強磁性層と、前記第３の強磁性層及び第４の強磁性層の間に配置される反平行結合層と、を含む第２のピン層と、
前記第３の強磁性層に隣接し、前記反平行結合層と反対側にある第２のフリー層と、を有する第２のスピン・バルブ・センサ（ＳＶセンサ）と、
前記第１及び第２のフリー層の間に配置される金属ギャップ層と、
を有し、前記第１及び第２のＳＶセンサ及び前記金属ギャップ層は、非磁性の第１及び第２のリード線層の間に配置され、
前記金属ギャップ層は、磁気的に記録される１／２ビット長に等しい間隔だけ前記第１及び第２のフリー層を隔てる読出しギャップを与えることを特徴とする差動巨大磁気抵抗型（ＧＭＲ）センサ。
【請求項２】
前記第１及び第２のリード線層は、タングステン（Ｗ）、金（Ａu）、ロジウム（Ｒh）、銅（Ｃu）、タンタル（Ｔa）及びそれらの組合わせから成る材料グループから選択されることを特徴とする請求項１記載の差動ＧＭＲセンサ。
【請求項３】
前記第２の強磁性層及び第３の強磁性層の磁化は、逆方向を向いていることを特徴とする請求項１記載の差動ＧＭＲセンサ。
【請求項４】
第１の反強磁性層と、第１のフリー層と、前記第１の反強磁性層と第１のフリー層の間に配置される第１のピン層と、を有する第１のスピン・バルブ・センサ（ＳＶセンサ）と、
第２の反強磁性層と、第２のフリー層と、前記第２の反強磁性層と第２のフリー層の間に配置される第２のピン層と、を有する第２のスピン・バルブ・センサ（ＳＶセンサ）と、
前記第１及び第２のフリー層の間に配置される金属ギャップ層と、
を有し、前記第１及び第２のＳＶセンサ及び前記金属ギャップ層は、非磁性の第１及び第２のリード線層の間に配置され、
前記金属ギャップ層は、磁気的に記録される１／２ビット長に等しい間隔だけ前記第１及び第２のフリー層を隔てる読出しギャップを与えることを特徴とする差動巨大磁気抵抗型（ＧＭＲ）センサ。
【請求項５】
前記第１及び第２のリード線層は、タングステン（Ｗ）、金（Ａu）、ロジウム（Ｒh）、銅（Ｃu）、タンタル（Ｔa）及びそれらの組合わせから成る材料グループから選択されることを特徴とする請求項４記載の差動ＧＭＲセンサ。
【請求項６】
前記第１及び第２のピン層の磁化は、逆方向を向いていることを特徴とする請求項４記載の差動ＧＭＲセンサ。
【請求項７】
第１の強磁性層と、第２の強磁性層と、前記第１の強磁性層及び第２の強磁性層の間に配置される反平行結合層と、を含む第１のピン層と、
前記第２の強磁性層に隣接し、前記反平行結合層と反対側にある第１のフリー層と、を有する第１のスピン・バルブ・センサ（ＳＶセンサ）と、
反強磁性層と、第２のフリー層と、前記反強磁性層と第２のフリー層の間に配置される第２のピン層と、を有する第２のスピン・バルブ・センサ（ＳＶセンサ）と、
前記第１及び第２のフリー層の間に配置される金属ギャップ層と、
を有し、前記第１及び第２のＳＶセンサ及び前記金属ギャップ層は、非磁性の第１及び第２のリード線層の間に配置され、
前記金属ギャップ層は、磁気的に記録される１／２ビット長に等しい間隔だけ前記第１及び第２のフリー層を隔てる読出しギャップを与えることを特徴とする差動巨大磁気抵抗型（ＧＭＲ）センサ。
【請求項８】
前記第１及び第２のリード線層は、タングステン（Ｗ）、金（Ａu）、ロジウム（Ｒh）、銅（Ｃu）、タンタル（Ｔa）及びそれらの組合わせから成る材料グループから選択されることを特徴とする請求項７記載の差動ＧＭＲセンサ。
【請求項９】
前記第１及び第２のピン層の磁化は、逆方向を向いていることを特徴とする請求項７記載の差動ＧＭＲセンサ。
【請求項１０】
少なくとも一個のコイル層と該コイル層を埋め込む絶縁スタックと、後部ギャップ部で接続され、縁部がエアー・ベアリング面（ＡＢＳ）の一部を形成する磁極先端部を持ち、間に前記絶縁スタックを挟み込む第１及び第２の磁極層と、前記第１及び第２の磁極層の磁極先端部の間に挟まれＡＢＳの一部を形成する書込みギャップ層と、を含む書込みヘッドと、
第１の強磁性層と、第２の強磁性層と、前記第１の強磁性層及び第２の強磁性層の間に配置される反平行結合層と、を含む第１のピン層と、
前記第２の強磁性層に隣接し、前記反平行結合層と反対側にある第１のフリー層と、を有する第１のスピン・バルブ・センサ（ＳＶセンサ）と、
第３の強磁性層と、第４の強磁性層と、前記第３の強磁性層及び第４の強磁性層の間に配置される反平行結合層と、を含む第２のピン層と、
前記第３の強磁性層に隣接し、前記反平行結合層と反対側にある第２のフリー層と、を有する第２のスピン・バルブ・センサ（ＳＶセンサ）と、
前記第１及び第２のフリー層の間に配置される金属ギャップ層と、
を有し、前記第１及び第２のＳＶセンサ及び前記金属ギャップ層は非磁性の第１及び第２のリード線層の間に配置される差動巨大磁気抵抗型（ＧＭＲ）センサを含む読出しヘッドと、
前記読出しヘッドの第２のリード線層と前記書込みヘッドの第１の磁極層の間に配置される絶縁層と、
を有し、
前記金属ギャップ層は、磁気的に記録される１／２ビット長に等しい間隔だけ前記第１及び第２のフリー層を隔てる読出しギャップを与えることを特徴とする読出し／書込み磁気ヘッド。
【請求項１１】
前記第１及び第２のリード線層は、タングステン（Ｗ）、金（Ａu）、ロジウム（Ｒh）、銅（Ｃu）、タンタル（Ｔa）及びそれらの組合わせから成る材料グループから選択されることを特徴とする請求項１０記載の読出し／書込み磁気ヘッド。
【請求項１２】
前記第１及び第２のピン層の磁化は、逆方向を向いていることを特徴とする請求項１０記載の読出し／書込み磁気ヘッド。
【請求項１３】
少なくとも一個のコイル層と該コイル層を埋め込む絶縁スタックと、後部ギャップ部で接続され、縁部がエアー・ベアリング面（ＡＢＳ）の一部を形成する磁極先端部を持ち、間に前記絶縁スタックを挟み込む第１及び第２の磁極層と、前記第１及び第２の磁極層の磁極先端部の間に挟まれＡＢＳの一部を形成する書込みギャップ層と、を含む書込みヘッドと、
第１の反強磁性層と、第１のフリー層と、前記第１の反強磁性層と第１のフリー層の間に配置される第１のピン層と、を有する第１のスピン・バルブ・センサ（ＳＶセンサ）と、
第２の反強磁性層と、第２のフリー層と、前記第２の反強磁性層と第２のフリー層の間に配置される第２のピン層と、を有する第２のスピン・バルブ・センサ（ＳＶセンサ）と、
前記第１及び第２のフリー層の間に配置される金属ギャップ層と、
を有し、前記第１及び第２のＳＶセンサ及び前記金属ギャップ層は非磁性の第１及び第２のリード線層の間に配置される差動巨大磁気抵抗型（ＧＭＲ）センサを含む読出しヘッドと、
前記読出しヘッドの第２のリード線層と前記書込みヘッドの第１の磁極層の間に配置される絶縁層と、を有し、
前記金属ギャップ層は、磁気的に記録される１／２ビット長に等しい間隔だけ前記第１及び第２のフリー層を隔てる読出しギャップを与えることを特徴とする読出し／書込み磁気ヘッド。
【請求項１４】
前記第１及び第２のリード線層は、タングステン（Ｗ）、金（Ａu）、ロジウム（Ｒh）、銅（Ｃu）、タンタル（Ｔa）及びそれらの組合わせから成る材料グループから選択されることを特徴とする請求項１３記載の読出し／書込み磁気ヘッド。
【請求項１５】
前記第１及び第２のピン層の磁化は、逆方向を向いていることを特徴とする請求項１３記載の読出し／書込み磁気ヘッド。
【請求項１６】
少なくとも一個のコイル層と該コイル層を埋め込む絶縁スタックと、後部ギャップ部で接続され、縁部がエアー・ベアリング面（ＡＢＳ）の一部を形成する磁極先端部を持ち、間に前記絶縁スタックを挟み込む第１及び第２の磁極層と、前記第１及び第２の磁極層の磁極先端部の間に挟まれＡＢＳの一部を形成する書込みギャップ層と、を含む書込みヘッドと、
第１の強磁性層と、第２の強磁性層と、前記第１の強磁性層及び第２の強磁性層の間に配置される反平行結合層と、を含む第１のピン層と、
前記第２の強磁性層に隣接し、前記反平行結合層と反対側にある第１のフリー層と、を有する第１のスピン・バルブ・センサ（ＳＶセンサ）と、
反強磁性層と、第２のフリー層と、前記反強磁性層と第２のフリー層の間に配置される第２のピン層と、を有する第２のスピン・バルブ・センサ（ＳＶセンサ）と、
前記第１及び第２のフリー層の間に配置される金属ギャップ層と、
を有し、前記第１及び第２のＳＶセンサ及び前記金属ギャップ層は非磁性の第１及び第２のリード線層の間に配置される差動巨大磁気抵抗型（ＧＭＲ）センサを含む読出しヘッドと、
前記読出しヘッドの第２のリード線層と前記書込みヘッドの第１の磁極層の間に配置される絶縁層と、
を有し、
前記金属ギャップ層は、磁気的に記録される１／２ビット長に等しい間隔だけ前記第１及び第２のフリー層を隔てる読出しギャップを与えることを特徴とする読出し／書込み磁気ヘッド。
【請求項１７】
前記第１及び第２のリード線層は、タングステン（Ｗ）、金（Ａu）、ロジウム（Ｒh）、銅（Ｃu）、タンタル（Ｔa）及びそれらの組合わせから成る材料グループから選択されることを特徴とする請求項１６記載の読出し／書込み磁気ヘッド。
【請求項１８】
前記第１及び第２のピン層の磁化は、逆方向を向いていることを特徴とする請求項１６記載の読出し／書込み磁気ヘッド。